【手続補正書】
【提出日】令和2年6月11日(2020.6.11)
【手続補正１】
【補正対象書類名】明細書
【補正対象項目名】００５３
【補正方法】変更
【補正の内容】
【００５３】
特許請求された主題の趣旨及び範囲から逸脱することなく、記載された実施形態に種々の変更及び変形がなされ得ることは、当業者には明らかであるはずである。したがって、本明細書は、そのような変更及び変形が添付の特許請求の範囲及びその等価物の範囲内に入る限り、種々の記載された実施形態の変更及び変形を網羅することが意図される。
以下、本発明の好ましい実施形態を項分け記載する。
実施形態１
ゲル化流体を調製する方法であって、
アルミニウム架橋化合物及び第１の体積のゲル化可能な有機溶媒を複合して、予備溶媒和混合物を形成することと、
前記予備溶媒和混合物をゲル化して、予備溶媒和ゲルを形成することと、
前記予備溶媒和ゲルを配合物流体と複合して、ゲル化可能な混合物を形成することであって、前記配合物流体が、第２の体積の前記ゲル化可能な有機溶媒を含む、形成することと、
前記ゲル化可能な混合物をゲル化して、前記ゲル化流体を形成することと、
を含む、方法。
実施形態２
前記アルミニウム架橋化合物が、アルミニウムアルカノエートを含む、実施形態１に記載の方法。
実施形態３
前記アルミニウムアルカノエートが、アルミニウムオクトエートを含む、実施形態２に記載の方法。
実施形態４
前記アルミニウム架橋化合物が、アルミニウムオクトエートである、実施形態１に記載の方法。
実施形態５
前記ゲル化可能な有機溶媒が、前記アルミニウム架橋化合物と架橋ゲルを形成する炭化水素液体である、実施形態１〜４のいずれか１項に記載の方法。
実施形態６
前記ゲル化可能な有機溶媒が、ディーゼル油、原油、灯油、パラフィン油、精製油、鉱油、シェール油、非在来型油、タイトオイル、液化天然ガス、植物油、動物油、またはそれらの組み合わせから選択される、実施形態１〜５のいずれか１項に記載の方法。
実施形態７
前記第１の体積の前記有機溶媒に相互溶媒を添加することをさらに含む、実施形態１〜６のいずれか１項に記載の方法。
実施形態８
前記相互溶媒が、前記ゲル化可能な有機溶媒中の前記アルミニウム架橋化合物の溶媒和速度を増加させる有機化合物である、実施形態７に記載の方法。
実施形態９
前記相互溶媒が、グリコール、グリコールエーテル、またはそれらの組み合わせから選択される、実施形態７または８に記載の方法。
実施形態１０
前記相互溶媒が、エチレングリコール、プロピレングリコール、エチレングリコールのアルキルエーテル、プロピレングリコールのアルキルエーテル、またはそれらの組み合わせから選択される、実施形態７または８に記載の方法。
実施形態１１
前記相互溶媒が、エチレングリコール、プロピレングリコール、エチレングリコールモノ−ブチルエーテル、２−ブトキシエタノール、プロピレングリコールｎ−ブチルエーテル、ジエチレングリコールブチルエーテル、エチレングリコールモノアセテート、ブチルカルビトール、トリエチレングリコールモノエチルエーテル、１，１′−オキシビス（２−プロパノール）、トリエチレングリコールモノメチルエーテル、またはそれらの組み合わせから選択される、実施形態７または８に記載の方法。
実施形態１２
前記相互溶媒が、２−ブトキシエタノールを含む、実施形態７または８に記載の方法。
実施形態１３
前記予備溶媒和混合物をゲル化することが、前記予備溶媒和混合物中の前記アルミニウムアルカノエート化合物を溶媒和することを含む、実施形態１〜１２のいずれか１項に記載の方法。
実施形態１４
前記ゲル化可能な混合物をゲル化することが、前記ゲル化可能な混合物を、前記予備溶媒和ゲルが形成されるまで加熱すること、または前記ゲル化可能な混合物を、前記予備溶媒和ゲルが形成されるまで混合すること、または前記ゲル化可能な混合物を、前記予備溶媒和ゲルが形成されるまで加熱し、混合することを含む、実施形態１３に記載の方法。
実施形態１５
前記アルミニウムアルカノエート化合物を前記予備溶媒和混合物中に溶媒和させることが、前記予備溶媒和混合物を、前記ゲル化流体が形成されるまで加熱すること、または前記予備溶媒和混合物を、前記ゲル化流体が形成されるまで混合すること、または前記予備溶媒和混合物を、前記ゲル化流体が形成されるまで加熱し、混合することを含む、実施形態１３に記載の方法。
実施形態１６
前記配合物流体が、リン酸エステル、鉄（ＩＩＩ）架橋化合物、アルミニウム架橋化合物、またはそれらの組み合わせをさらに含む、実施形態１〜１５のいずれか１項に記載の方法。
実施形態１７
前記ゲル化可能な混合物をゲル化する前に、少なくとも１種の追加のゲル形成化合物を、前記配合物流体または前記ゲル化可能な混合物に添加することをさらに含み、前記少なくとも１種の追加のゲル形成化合物が、リン酸エステル、鉄（ＩＩＩ）架橋化合物、アルミニウム架橋化合物、またはそれらの組み合わせから選択される、実施形態１〜１４のいずれか１項に記載の方法。
実施形態１８
追加のゲル形成化合物を、前記ゲル化可能な混合物に添加することが、
０．１〜２０重量％の前記ゲル化可能な有機溶媒の前記リン酸エステルを、前記ゲル化可能な混合物中に添加すること、または
０．１〜２０重量％の前記ゲル化可能な有機溶媒の前記鉄（ＩＩＩ）架橋化合物を、前記ゲル化可能な混合物に添加すること、または
０．１〜２０重量％の前記ゲル化可能な有機溶媒の前記アルミニウム架橋化合物を、前記ゲル化可能な混合物中に添加すること、または
それらの組み合わせ
を含む、実施形態１７に記載の方法。
実施形態１９
前記ゲル化可能な混合物をゲル化する前に、非溶媒和アルミニウムアルカノエートを、前記ゲル化可能な混合物に添加することをさらに含む、実施形態１〜１８のいずれか１項に記載の方法。
実施形態２０
前記ゲル化流体が、前記ゲル化流体の総重量に基づいて、０．１重量％〜２０重量％のアルミニウムアルカノエートを含む、実施形態１〜１９のいずれか１項に記載の方法。
実施形態２１
地下層を処理する方法であって、
実施形態１〜２０のいずれか１項に記載の方法により調製されたゲル化流体を、前記地下層に導入することを含む、方法。
実施形態２２
ゲル化流体であって、
ゲル化可能な有機溶媒と、
前記ゲル化流体の総重量に基づいて、０．１重量％〜２０重量％のアルミニウムアルカノエート架橋化合物と、
前記ゲル化流体の総重量に基づいて、０．１重量％〜５重量％の、前記ゲル化可能な有機溶媒中の前記アルミニウムアルカノエート架橋化合物の溶媒和速度を増加させる、相互溶媒と、
を含む、ゲル化流体。
実施形態２３
前記ゲル化可能な有機溶媒が、ディーゼル油、原油、灯油、パラフィン油、精製油、鉱油、シェール油、非在来型油、タイトオイル、液化天然ガス、植物油、動物油、またはそれらの組み合わせから選択される、実施形態２２に記載のゲル化流体。
実施形態２４
前記相互溶媒が、グリコール、グリコールエーテル、またはそれらの組み合わせから選択される、実施形態２２または２３に記載のゲル化流体。
実施形態２５
前記相互溶媒が、エチレングリコール、プロピレングリコール、エチレングリコールのアルキルエーテル、プロピレングリコールのアルキルエーテル、またはそれらの組み合わせから選択される、実施形態２２または２３に記載のゲル化流体。
実施形態２６
前記相互溶媒が、エチレングリコール、プロピレングリコール、エチレングリコールモノ−ブチルエーテル、２−ブトキシエタノール、プロピレングリコールｎ−ブチルエーテル、ジエチレングリコールブチルエーテル、エチレングリコールモノアセテート、ブチルカルビトール、トリエチレングリコールモノエチルエーテル、１，１′−オキシビス（２−プロパノール）、トリエチレングリコールモノメチルエーテル、またはそれらの組み合わせから選択される、実施形態２２または２３に記載のゲル化流体。
実施形態２７
前記相互溶媒が、２−ブトキシエタノールを含む、実施形態２２または２３に記載のゲル化流体。
実施形態２８
前記アルミニウムアルカノエート架橋化合物が、アルミニウムオクトエートである、実施形態２２〜２７のいずれか１項に記載のゲル化流体。
実施形態２９
地下層を処理する方法であって、
実施形態２２〜２８のいずれか１項に記載のゲル化流体を、前記地下層に導入することを含む、方法。
【手続補正２】
【補正対象書類名】特許請求の範囲
【補正対象項目名】全文
【補正方法】変更
【補正の内容】
【特許請求の範囲】
【請求項１】
ゲル化流体を調製する方法であって、
ゲル化可能な有機溶媒が、ディーゼル油、原油、灯油、パラフィン油、精製油、鉱油、シェール油、液化天然ガス、植物油、動物油、またはそれらの組み合わせからなる群から選択され、アルミニウム架橋化合物及び第１の体積のゲル化可能な有機溶媒を複合して、予備溶媒和混合物を形成することと、  
前記予備溶媒和混合物をゲル化して、予備溶媒和ゲルを形成することと、
前記予備溶媒和ゲルを配合物流体と複合して、ゲル化可能な混合物を形成することであって、前記配合物流体が、第２の体積の前記ゲル化可能な有機溶媒を含む、形成することと、
前記ゲル化可能な混合物をゲル化して、前記ゲル化流体を形成することと、
を含む、方法。
【請求項２】
前記アルミニウム架橋化合物が、アルミニウムオクトエートを含む、請求項１に記載の方法。
【請求項３】
前記ゲル化可能な有機溶媒が、前記アルミニウム架橋化合物と架橋ゲルを形成する炭化水素液体である、請求項１に記載の方法。
【請求項４】
前記第１の体積の前記有機溶媒に、グリコール、グルコールエーテル、またはそれらの組み合わせから選択される相互溶媒を添加することをさらに含む、請求項１〜３のいずれか１項に記載の方法。
【請求項５】
前記相互溶媒が、エチレングリコール、プロピレングリコール、エチレングリコールモノ−ブチルエーテル、２−ブトキシエタノール、プロピレングリコールｎ−ブチルエーテル、ジエチレングリコールブチルエーテル、エチレングリコールモノアセテート、ブチルカルビトール、トリエチレングリコールモノエチルエーテル、１，１′−オキシビス（２−プロパノール）、トリエチレングリコールモノメチルエーテル、またはそれらの組み合わせから選択される、請求項４に記載の方法。
【請求項６】
前記予備溶媒和混合物をゲル化することが、前記予備溶媒和混合物中の前記アルミニウムアルカノエート化合物を溶媒和することを含む、請求項１に記載の方法。
【請求項７】
前記アルミニウムアルカノエート化合物を前記予備溶媒和混合物中に溶媒和させることが、前記予備溶媒和混合物を、前記ゲル化流体が形成されるまで加熱すること、または前記予備溶媒和混合物を、前記ゲル化流体が形成されるまで混合すること、または前記予備溶媒和混合物を、前記ゲル化流体が形成されるまで加熱し、混合することを含む、請求項６に記載の方法。
【請求項８】
前記配合物流体が、リン酸エステル、鉄（ＩＩＩ）架橋化合物、アルミニウム架橋化合物、またはそれらの組み合わせをさらに含む、請求項１〜３または５〜７のいずれか１項に記載の方法。
【請求項９】
前記ゲル化可能な混合物をゲル化する前に、少なくとも１種の追加のゲル形成化合物を、前記配合物流体または前記ゲル化可能な混合物に添加することをさらに含み、前記少なくとも１種の追加のゲル形成化合物が、リン酸エステル、鉄（ＩＩＩ）架橋化合物、アルミニウム架橋化合物、またはそれらの組み合わせから選択される、請求項１に記載の方法。
【請求項１０】
追加のゲル形成化合物を、前記ゲル化可能な混合物に添加することが、
０．１〜２０重量％の前記ゲル化可能な有機溶媒の前記リン酸エステルを、前記ゲル化可能な混合物中に添加すること、または
０．１〜２０重量％の前記ゲル化可能な有機溶媒の前記鉄（ＩＩＩ）架橋化合物を、前記ゲル化可能な混合物に添加すること、または
０．１〜２０重量％の前記ゲル化可能な有機溶媒の前記アルミニウム架橋化合物を、前記ゲル化可能な混合物中に添加すること、または
それらの組み合わせ
を含む、請求項９に記載の方法。
【請求項１１】
前記ゲル化可能な混合物をゲル化する前に、非溶媒和アルミニウムアルカノエートを、前記ゲル化可能な混合物に添加することをさらに含む、請求項１〜３、５〜７、９、または１０のいずれか１項に記載の方法。
【請求項１２】
前記ゲル化流体が、前記ゲル化流体の総重量に基づいて、０．１重量％〜２０重量％のアルミニウムアルカノエートを含む、請求項１に記載の方法。
【請求項１３】
ゲル化流体であって、
ディーゼル油、原油、灯油、パラフィン油、精製油、鉱油、シェール油、液化天然ガス、植物油、動物油、またはそれらの組み合わせからなる群から選択されるゲル化可能な有機溶媒と、
前記ゲル化流体の総重量に基づいて、０．１重量％〜２０重量％のアルミニウムアルカノエート架橋化合物と、
前記ゲル化流体の総重量に基づいて、０．１重量％〜５重量％のグリコール、グリコールエーテル、またはそれらの組み合わせから選択される相互溶媒と、
を含む、ゲル化流体。
【請求項１４】
前記相互溶媒が、エチレングリコール、プロピレングリコール、エチレングリコールモノ−ブチルエーテル、２−ブトキシエタノール、プロピレングリコールｎ−ブチルエーテル、ジエチレングリコールブチルエーテル、エチレングリコールモノアセテート、ブチルカルビトール、トリエチレングリコールモノエチルエーテル、１，１′−オキシビス（２−プロパノール）、トリエチレングリコールモノメチルエーテル、またはそれらの組み合わせから選択される、請求項１３に記載のゲル化流体。
【請求項１５】
前記相互溶媒が、２−ブトキシエタノールを含むことと、
前記アルミニウムアルカノエート架橋化合物がアルミニウムオクトエートである、
請求項１３または１４に記載のゲル化流体。